(57)【要約】      （修正有）【課題】温水洗浄便座において温水加熱装置及びその装置を含む温水供給装置を提供する。【解決手段】温水加熱装置４０は、温水洗浄便座において所定空間を限定する加熱ボディ１０、加熱ボディ１０内に位置して加熱ボディ１０の縁に沿って形成される温水流路部２０、及び加熱ボディ１０内に位置して温水流路部２０の周辺に配置される温水ヒータ部３０を含む。温水流路部２０と温水ヒータ部３０は、加熱ボディ１０内で互いに隣接するように配置され、かつ加熱ボディ１０の縁で加熱ボディ１０の中心に対し、少なくとも対称に折り曲げられるている。【選択図】図１
2014122538.tif 000002
【特許請求の範囲】
【請求項１】
温水洗浄便座において所定空間を限定する加熱ボディと、
前記加熱ボディ内に位置して前記加熱ボディの縁に沿って形成される温水流路部と、
前記加熱ボディ内に位置して前記温水流路部の周辺に配置される温水ヒータ部と、を含み、
前記温水流路部の入水口は、前記加熱ボディの外部に位置する水道栓に接続され、そして前記温水流路部の出水口は、前記加熱ボディの内部から前記温水流路部の中央領域に開口されることを特徴とする温水加熱装置。
【請求項２】
前記温水流路部及び前記温水ヒータ部は、前記加熱ボディの前記縁で前記加熱ボディの中心に対して少なくとも対称に折曲するように形成されることを特徴とする請求項１に記載の温水加熱装置。
【請求項３】
前記温水流路部及び前記温水ヒータ部のそれぞれは螺線構造物からなって、前記加熱ボディの断面上において前記加熱ボディの前記縁に複数個のライン断面層を含み、
前記温水ヒータ部は、前記温水流路部の内部に位置することを特徴とする請求項１に記載の温水加熱装置。
【請求項４】
前記温水流路部の前記複数個のライン断面層は、前記加熱ボディの前記縁で前記温水ヒータ部の前記複数個のライン断面層と交差するように構成されることを特徴とする請求項３に記載の温水加熱装置。
【請求項５】
前記温水流路部の前記複数個のライン断面層は、前記加熱ボディの前記縁で前記温水ヒータ部の前記複数個のライン断面層と水平を維持するように構成されることを特徴とする請求項３に記載の温水加熱装置。
【請求項６】
前記温水流路部の前記複数個のライン断面層は、前記加熱ボディの前記縁で前記温水ヒータ部の前記複数個のライン断面層との間に前記温水ヒータ部の前記複数個のライン断面層と垂直するように一列に位置することを特徴とする請求項３に記載の温水加熱装置。
【請求項７】
前記温水流路部は螺線構造物からなって、
前記温水ヒータ部は前記加熱ボディの断面上に「Ｕ」字状または円筒状のうちの１つのライン断面層を含みながら前記温水流路部の内部に位置することを特徴とする請求項１に記載の温水加熱装置。
【請求項８】
前記温水流路部は、前記加熱ボディの断面上に「Ｕ」字状または円筒状のうちの１つのライン断面層を含み、
前記温水ヒータ部は螺線構造物からなって、そして前記温水流路部で覆われるように構成されることを特徴とする請求項１に記載の温水加熱装置。
【請求項９】
前記温水流路部及び温水ヒータ部のそれぞれは、前記加熱ボディの断面上に「Ｕ」字状または円筒状のライン断面層を含み、
前記温水ヒータ部は前記温水流路部で覆われるように構成されることを特徴とする請求項１に記載の温水加熱装置。
【請求項１０】
前記温水流路部及び温水ヒータ部は、前記加熱ボディの断面上に「Ｕ」字状及び円筒状のうちの１つのライン断面層を含み、
前記温水ヒータ部は前記温水流路部に挿入され、そして前記加熱ボディの縁で前記温水流路部が部分的に覆うことを特徴とする請求項１に記載の温水加熱装置。
【請求項１１】
前記温水流路部は前記加熱ボディで螺線構造物からなって、
前記温水ヒータ部は前記加熱ボディで輪状の管構造物を含み、
前記温水流路部が前記温水ヒータ部を覆うように構成されることを特徴とする請求項１に記載の温水加熱装置。
【請求項１２】
前記温水流路部は前記加熱ボディで輪状の板構造物に螺線の流路を有し、
前記温水ヒータ部は前記加熱ボディで輪状の管構造物を含み、
前記温水流路部が前記温水ヒータ部を覆うように構成されることを特徴とする請求項１に記載の温水加熱装置。
【請求項１３】
前記温水流路部及び前記温水ヒータ部は前記加熱ボディで螺線構造物からなって、
前記温水ヒータ部が前記加熱ボディで前記温水流路部に沿って前記温水流路部を覆うように構成されることを特徴とする請求項１に記載の温水加熱装置。
【請求項１４】
前記温水流路部は前記加熱ボディで螺線構造物からなって、
前記温水ヒータ部は前記加熱ボディで輪状の管構造物を含み、
前記温水ヒータ部が前記加熱ボディで前記温水流路部に沿って前記温水流路部を覆うように構成されることを特徴とする請求項１に記載の温水加熱装置。
【請求項１５】
前記温水流路部及び前記温水ヒータ部は前記加熱ボディで櫛状の管構造物に複数個の櫛歯を含み、
前記温水ヒータ部の櫛歯は前記加熱ボディの下部側から上部側に向けて前記温水流路部の櫛歯との間に位置するように構成されることを特徴とする請求項１に記載の温水加熱装置。
【請求項１６】
前記温水流路部及び前記温水ヒータ部は前記加熱ボディで輪状の管構造物からなって、ジグザグに形成されることを特徴とする請求項１に記載の温水加熱装置。
【請求項１７】
バッファタンクを限定する加熱ボディ、そして前記加熱ボディで前記バッファタンクの周辺に温水流路部及び温水ヒータ部を含む温水加熱装置と、
前記温水加熱装置上で前記バッファタンクを覆う連結ハウジングと、
前記温水加熱装置上で前記連結ハウジングを介して前記バッファタンクと連通するように構成される流量調節バルブと、を含み、
前記温水流路部は一端を介して前記加熱ボディから突出し、そして他端を介して前記バッファタンクに露出するように構成され、
前記温水ヒータ部は一端及び他端を介して前記加熱ボディから突出するように構成され、
前記温水流路部及び前記温水ヒータ部は前記加熱ボディで互いに隣接するように構成されることを特徴とする温水供給装置。
【請求項１８】
前記温水流路部及び前記温水ヒータ部は一端よりも低いレベルに他端を有することを特徴とする請求項１７に記載の温水供給装置。
【請求項１９】
前記温水ヒータ部の前記他端は前記温水流路部の前記他端よりも低いレベルに位置することを特徴とする請求項１８に記載の温水供給装置。
【請求項２０】
前記温水流路部及び前記温水ヒータ部は螺線構造物からなることを特徴とする請求項１８に記載の温水供給装置。
【発明の詳細な説明】
【技術分野】
【０００１】
本発明の実施形態は、温水洗浄便座に関し、詳しくは、温水洗浄便座において加熱ボディ内で相互隣接する温水流路部及び温水ヒータ部を含む温水加熱装置及びその装置を含む温水供給装置に関する。
【背景技術】
【０００２】
一般に、温水洗浄便座は、宿泊施設または一般家庭でのトイレの座便器上に位置する座便設備として広く用いられる。前記温水洗浄便座は利用者が用便後にビデノズル装置を介して利用者の肛門及び／またはその周辺に温水を噴射して利用者身体についた汚れを除去できるように構成される。
【０００３】
この場合、前記温水洗浄便座は水道栓に接続されて、水道栓から水を供給する。前記水は温水洗浄便座の温水加熱装置により加熱されて温水となる。前記温水は温水加熱装置から流出されて温水洗浄便座の内部に位置する流路に供給される。しかし、前記温水は流路では保温できず、温水洗浄便座の内部で熱損失される。
【０００４】
また、前記温水洗浄便座は温水を温水加熱装置からビデノズル装置に供給する。前記温水は温水洗浄便座の駆動前に、及び／または後に温水加熱装置の内部で、そして温水加熱装置とビデノズル装置との間で熱損失が大きくなる。なぜなら、前記温水洗浄便座は温水加熱装置の内部で、そして温水加熱装置とビデノズル装置との間に温水の熱を保存する保温手段がないからである。
【０００５】
したがって、前記利用者は温水の熱損失により季節ごとに身体及び温水の接触に負担を感じる。前記利用者は温水の熱損失により季節ごとに温水洗浄便座の多様な利用経験を有することができる。
【先行技術文献】
【特許文献】
【０００６】
【特許文献１】大韓民国特許公開第10-2003-0063065号
【発明の概要】
【発明が解決しようとする課題】
【０００７】
本発明が解決しようとする課題は、温水洗浄便座の温水供給装置内の温水流路部で温水の熱損失を低減するのに適合な温水加熱装置を提供することにある。
【課題を解決するための手段】
【０００８】
本発明の実施形態によれば、温水洗浄便座の温水加熱装置が提供される。前記温水加熱装置は、温水洗浄便座において所定空間を限定する加熱ボディ(heating body)、前記加熱ボディ内に位置して前記加熱ボディの縁に沿って形成される温水流路部、及び前記加熱ボディ内に位置して前記温水流路部の周辺に配置される温水ヒータ部を含み、前記温水流路部の入水口は前記加熱ボディの外部に位置する水道栓に接続され、そして前記温水流路部の出水口は前記加熱ボディの内部で前記温水流路部の中央領域に開口される。
【０００９】
前記温水流路部及び前記温水ヒータ部は、前記加熱ボディの前記縁で前記加熱ボディの中心に対して少なくとも対称に折曲するように形成される。
【００１０】
前記温水流路部及び前記温水ヒータ部のそれぞれは、螺線構造物からなって前記加熱ボディの断面上に前記加熱ボディの前記縁に複数個のライン断面層を含み、前記温水ヒータ部は前記温水流路部の内部に位置する。
【００１１】
前記温水流路部の前記複数個のライン断面層は、前記加熱ボディの前記縁で前記温水ヒータ部の前記複数個のライン断面層と交差するように構成される。
【００１２】
前記温水流路部の前記複数個のライン断面層は、前記加熱ボディの前記縁で前記温水ヒータ部の前記複数個のライン断面層と水平を維持するように構成される。
【００１３】
前記温水流路部の前記複数個のライン断面層は、前記加熱ボディの前記縁で前記温水ヒータ部の前記複数個のライン断面層との間に前記温水ヒータ部の前記複数個のライン断面層と垂直するように一列に位置する。
【００１４】
前記温水流路部は螺線構造物からなって、前記温水ヒータ部は前記加熱ボディの断面上に「Ｕ」字状または円筒状のうちの１つのライン断面層を含みながら前記温水流路部の内部に位置する。
【００１５】
前記温水流路部は、前記加熱ボディの断面上に「Ｕ」字状または円筒状のうちの１つのライン断面層を含み、前記温水ヒータ部は螺線構造物からなって、そして前記温水流路部で覆われるように構成される。
【００１６】
前記温水流路部及び温水ヒータ部のそれぞれは、前記加熱ボディの断面上に「Ｕ」字状または円筒状のライン断面層を含み、前記温水ヒータ部は前記温水流路部で覆われるように構成される。
【００１７】
前記温水流路部及び温水ヒータ部は、前記加熱ボディの断面上に「Ｕ」字状及び円筒状のうちの１つのライン断面層を含み、前記温水ヒータ部は前記温水流路部に挿入され、そして前記加熱ボディの縁において前記温水流路部で部分的に覆われる。
【００１８】
前記温水流路部は前記加熱ボディで螺線構造物からなって、前記温水ヒータ部は前記加熱ボディで輪状の管構造物を含み、前記温水流路部は前記温水ヒータ部を覆うように構成される。
【００１９】
前記温水流路部は前記加熱ボディで輪状の板構造物に螺線の流路を有し、前記温水ヒータ部は前記加熱ボディで輪状の管構造物を含み、前記温水流路部は前記温水ヒータ部を覆うように構成される。
【００２０】
前記温水流路部及び前記温水ヒータ部は前記加熱ボディで螺線構造物からなって、前記温水ヒータ部は前記加熱ボディで前記温水流路部に沿って前記温水流路部を覆うように構成される。
【００２１】
前記温水流路部は前記加熱ボディで螺線構造物からなって、前記温水ヒータ部は前記加熱ボディで輪状の管構造物を含み、前記温水ヒータ部は前記加熱ボディで前記温水流路部に沿って前記温水流路部を覆うように構成される。
【００２２】
前記温水流路部及び前記温水ヒータ部は前記加熱ボディで櫛(comb)状の管構造物として複数個の櫛歯を含み、前記温水ヒータ部の櫛歯は前記加熱ボディの下部側から上部側に向けて前記温水流路部の櫛歯との間に位置するように構成される。
【００２３】
前記温水流路部及び前記温水ヒータ部は前記加熱ボディで輪状の管構造物からなって、ジグザグに形成される。
【００２４】
本発明の他の実施形態によれば、温水洗浄便座の温水供給装置が提供される。前記温水供給装置は、バッファタンクを限定する加熱ボディ、そして前記加熱ボディで前記バッファタンクの周辺に温水流路部及び温水ヒータ部を含む温水加熱装置、前記温水加熱装置上で前記バッファタンクを覆う連結ハウジング、及び前記温水加熱装置上で前記連結ハウジングを介して前記バッファタンクと連通するように構成される流量調節バルブを含み、前記温水流路部は一端を介して前記加熱ボディから突出し、そして他端を介して前記バッファタンクに露出するように構成され、前記温水ヒータ部は一端及び他端を介して前記加熱ボディから突出するように構成され、前記温水流路部及び前記温水ヒータ部は前記加熱ボディで互いに隣接するように構成される。
【００２５】
前記温水流路部及び前記温水ヒータ部は、一端よりも低いレベルに他端を有する。
【００２６】
前記温水ヒータ部の前記他端は、前記温水流路部の前記他端よりも低いレベルに位置する。
【００２７】
前記温水流路部及び前記温水ヒータ部は螺線構造物からなる。
【発明の効果】
【００２８】
上述のように、本明の実施形態による温水供給装置は、温水加熱装置において加熱ボディのバッファタンク周辺に互いに隣接する温水流路部及び温水ヒータ部を備えて水道栓から供給された温水流路部内の水を迅速に加熱することができる。
【００２９】
前記温水供給装置は、温水加熱装置内の加熱ボディのバッファタンク周辺に互いに隣接する温水流路部及び温水ヒータ部を備えて温水流路部内の温水を長時間に保温することができる。
【００３０】
前記温水供給装置は、温水加熱装置のバッファタンクと連通するように、温水流路部または温水ヒータ部の中央領域に温水流路部の出水口を有するので、温水流路部の外部からの温水の熱損失を最小化することができる。
【００３１】
前記温水供給装置は、温水加熱装置の温水流路部及びバッファタンクで温水の熱損失が最小化されるので、利用者に季節ごとの身体及び温水の接触による負担感を与えない。
【図面の簡単な説明】
【００３２】
【図１】本発明の実施形態による温水供給装置を示す部分斜視図である。
【図２】本発明の第１実施形態による図１の温水加熱装置を示す斜視図である。
【図３】図２の切断線Ｉ−Ｉ’に沿って温水加熱装置を示す断面図である。
【図４】図２の切断線Ｉ−Ｉ’に沿って本発明の第２実施形態による温水加熱装置を示す断面図である。
【図５】図２の切断線Ｉ−Ｉ’に沿って本発明の第３実施形態による温水加熱装置を示す断面図である。
【図６】図２の切断線Ｉ−Ｉ’に沿って本発明の第４実施形態による温水加熱装置を示す断面図である。
【図７】図２の切断線Ｉ−Ｉ’に沿って本発明の第５実施形態による温水加熱装置を示す断面図である。
【図８】図２の切断線Ｉ−Ｉ’に沿って本発明の第６実施形態による温水加熱装置を示す断面図である。
【図９】図２の切断線Ｉ−Ｉ’に沿って本発明の第７実施形態による温水加熱装置を示す断面図である。
【図１０】図２の切断線Ｉ−Ｉ’に沿って本発明の第８実施形態による温水加熱装置を示す斜視図である。
【図１１】図２の切断線Ｉ−Ｉ’に沿って本発明の第９実施形態による温水加熱装置を示す斜視図である。
【図１２】図２の切断線Ｉ−Ｉ’に沿って本発明の第１０実施形態による温水加熱装置を示す斜視図である。
【図１３】図２の切断線Ｉ−Ｉ’に沿って本発明の第１１実施形態による温水加熱装置を示す斜視図である。
【図１４】図２の切断線Ｉ−Ｉ’に沿って本発明の第１２実施形態による温水加熱装置を示す斜視図である。
【図１５】図２の切断線Ｉ−Ｉ’に沿って本発明の第１３実施形態による温水加熱装置を示す斜視図である。
【発明を実施するための形態】
【００３３】
まず、本発明の実施形態による温水加熱装置及びその装置を含む温水供給装置を図１ないし図１５を参照しながら詳細に説明する。
【００３４】
図１は、本発明の実施形態による温水供給装置を示す部分斜視図である。
【００３５】
図１を参照すると、本発明の実施形態による温水供給装置１９０は、温水加熱装置４０、連結ハウジング１７０、及び流量調節バルブ１８０を含む。前記温水加熱装置４０は温水洗浄便座の内部に位置する加熱ボディ１０を含む。前記加熱ボディ１０は温水洗浄便座で所定空間を限定するように構成される。
【００３６】
前記加熱ボディ１０は、バッファタンク(buffer tank)１４を図２のように限定しながらバッファタンク１４の周辺に温水流路部２０及び温水ヒータ部３０を含む。前記バッファタンク１４は温水（図示せず）を保存するように構成される。前記加熱ボディ１０はアルミニウムを含む金属からなる鋳造物である。
【００３７】
前記温水流路部２０及び温水ヒータ部３０はバッファタンク１４から順序的に位置するが、これに限定されない。しかし、前記温水流路部２０及び温水ヒータ部３０は、構造的に加熱ボディ１０で互いに隣接するように構成される。前記温水流路部２０及び温水ヒータ部３０は、加熱ボディ１０の縁で加熱ボディ１０の中心に対して少なくとも対称に折曲するように形成される。
【００３８】
より詳細に説明すると、前記温水流路部２０は、内部に図３の流路ＦＰ(fluid-path)を有する。前記温水流路部２０は一端に入水口２４及び他端に出水口２８を有する。前記温水流路部２０の入水口２４は加熱ボディ１０の外部に位置する水道栓に接続され、そして温水流路部２０の出水口２８は加熱ボディ１０の内部から温水流路部２０の中央領域（＝バッファタンクの内部）に開口される。
【００３９】
前記温水流路部２０は銅(cupper)またはステンレス材質を含む。前記温水ヒータ部３０は加熱ボディ１０に位置して一端及び他端を介して加熱ボディ１０から突出される。また、前記温水ヒータ部３０は加熱ボディ１０内で温水流路部２０の周辺に配置される。前記温水ヒータ部３０はシーズヒータ(sheath heater)を含むが、これに限定されない。前記シーズヒータの構成要素は図３で説明する。
【００４０】
前記加熱ボディ１０が図２のように完全な形状を有する場合、前記連結ハウジング１７０は、加熱ボディ１０上でバッファタンク１４を覆うように構成される。しかしながら、前記連結ハウジング１７０は、図１でバッファタンク１４の内部を詳細に示すために部分的に図示する。
【００４１】
前記連結ハウジング１７０は加熱ボディ１０と同一物質を含む。前記流量調節バルブ１８０は温水加熱装置４０上で連結ハウジング１７０と結合される。より詳細に説明すると、前記流量調節バルブ１８０の分岐管１８５は連結ハウジング１７０に挿入される。よって、前記流量調節バルブ１８０は連結ハウジング１７０及び分岐管１８５を介してバッファタンク１４と連通するように構成される。
【００４２】
前記流量調節バルブ１８０は、第１ノズルＮ１及び第２ノズルＮ２を含む。前記第１ノズルＮ１は、ビデノズル装置（図示せず）の洗浄ノズル及びビデノズルと連通するように構成される。前記第２ノズルＮ２は、ノズル洗浄装置（図示せず）と連通するように構成される。前記ノズル洗浄装置はビデノズル装置の周辺に位置する。
【００４３】
図２は、本発明の第１実施形態による図１の温水加熱装置を示す斜視図である。
【００４４】
図２を参照すると、前記温水加熱装置４０において、前記加熱ボディ１０は「Ｐ」字状にそれぞれ対応される上部層及び下部層を交差するように垂直に積層した形状を有する。前記温水流路部２０及び温水ヒータ部３０の一端は加熱ボディ１０の上部層から外部に向けて突出される。前記温水流路部２０の他端は加熱ボディ１０のバッファタンク１４から突出される。
【００４５】
また、前記温水ヒータ部３０の他端は加熱ボディ１０の下部層から外部に向けて突出される。よって、前記温水流路部２０及び温水ヒータ部３０は一端よりも低いレベルに他端を有する。前記温水ヒータ部３０の他端は温水流路部２０の他端よりも低いレベルに位置する。
【００４６】
前記温水ヒータ部３０は、図１を参照すると、加熱ボディ１０で温水流路部２０の内側部に位置するが、これに限定されない。例えば、前記温水ヒータ部３０は、加熱ボディ１０で温水流路部２０の外側部に配置することができる。より詳細に説明すると、前記温水ヒータ部３０はバッファタンク１４を基準にバッファタンク１４に向けて温水流路部２０よりも近く、または温水流路部２０よりも遠く配置することができる。
【００４７】
この場合、前記温水流路部２０及び温水ヒータ部３０は、加熱ボディ１０で図１のように螺線構造物からなって、加熱ボディ１０に対して傾斜を有する。一方、前記加熱ボディ１０は上部層に連結口１８を有する。前記連結口１８はバッファタンク１４の開口部の縁に沿って位置して加熱ボディ１０の上部に向けて突出される。前記連結口１８は、図１の連結ハウジング１７０と結合するように構成される。
【００４８】
図３は、図２の切断線Ｉ−Ｉ’に沿って温水加熱装置を示す断面図である。
【００４９】
図３を参照すると、前記温水流路部２０は、螺線の流路ＦＰ(fluid path)を含む。前記温水流路部２０は、加熱ボディ１０の縁に複数個のライン断面層２０Ａ、２０Ｂ、２０Ｃ、２０Ｄ、及び加熱ボディ１０の中央領域に１つのライン断面層２０Ｅを含む。前記温水流路部２０のライン断面層２０Ａ、２０Ｂ、２０Ｃ、２０Ｄ、２０Ｅは、管状に形成されて加熱ボディ１０のバッファタンク１４周辺、そしてバッファタンク１４に位置する。
【００５０】
前記複数個のライン断面層２０Ａ、２０Ｂ、２０Ｃ、２０Ｄは、流路ＦＰ上に位置する。前記１つのライン断面層２０Ｅは、加熱ボディ１０のバッファタンク１４の内部に位置しているように、図１の温水流路部２０の出水口２８に対応される。前記温水ヒータ部３０は螺線からなって、加熱ボディ１０の縁に複数個のライン断面層３０Ａ、３０Ｂ、３０Ｃを含む。
【００５１】
前記温水ヒータ部３０の複数個のライン断面層３０Ａ、３０Ｂ、３０Ｃは、管状に形成されて加熱ボディ１０のバッファタンク１４周辺に位置する。前記温水ヒータ部３０は温水流路部２０の内部に位置する。前記温水ヒータ部３０の螺線は、加熱ボディ１０の中央領域で温水流路部２０の流路ＦＰと交差される。
【００５２】
この場合、前記温水流路部２０の複数個のライン断面層２０Ａ、２０Ｂ、２０Ｃ、２０Ｄは、加熱ボディ１０の縁で温水ヒータ部３０の複数個のライン断面層３０Ａ、３０Ｂ、３０Ｃと交差するように構成される。前記温水ヒータ部３０は、保護管３３、発熱体３６、及び絶縁物３９を含むが、これに限定されない。
【００５３】
前記保護管３３は、発熱体３６及び絶縁物３９を覆うように構成される。本発明の第１実施形態の変形として、前記温水流路部２０は温水ヒータ部３０で覆われるように構成することができる。この場合も、本発明の第１実施形態の変形に伴う温水流路部２０及び温水ヒータ部３０の形状は、本発明の第１実施形態で説明することができる。
【００５４】
図４は、図２の切断線Ｉ−Ｉ’に沿って本発明の第２実施形態による温水加熱装置を示す断面図である。図４は、図３と同一部材に対しては同一符号を使用するものとする。
【００５５】
図４を参照すると、本発明の第２実施形態による温水加熱装置５０は図３の温水加熱装置４０と類似の構造を有する。すなわち、前記温水加熱装置５０は、加熱ボディ１０のバッファタンク１４周辺に温水流路部２０及び温水ヒータ部３０を含む。
【００５６】
しかし、前記温水流路部２０の複数個のライン断面層２０Ａ、２０Ｂ、２０Ｃ、２０Ｄは、加熱ボディ１０の縁で温水ヒータ部３０の複数個のライン断面層３０Ａ、３０Ｂ、３０Ｃ、３０Ｄと水平を維持するように構成される。前記温水流路部２０の流路ＦＰは、温水ヒータ部３０の螺線と平行するように構成される。
【００５７】
本発明の第２実施形態の変形として、前記温水流路部２０及び温水ヒータ部３０のそれぞれは螺線からなる。本発明の第２実施形態の変形に伴う温水流路部２０は、温水ヒータ部３０で覆われるように構成される。この場合も、本発明の第２実施形態の変形に伴う温水流路部２０及び温水ヒータ部３０の位置関係は本発明の第２実施形態で説明することができる。
【００５８】
図５は、図２の切断線Ｉ−Ｉ’に沿って本発明の第３実施形態による温水加熱装置を示す断面図である。図５は、図３と同一部材に対しては同一符号を使用するものとする。
【００５９】
図５を参照すると、本発明の第３実施形態による温水加熱装置６０は、図３の温水加熱装置４０と類似の構造を有する。すなわち、前記温水加熱装置６０は、加熱ボディ１０のバッファタンク１４周辺に温水流路部２０及び温水ヒータ部３０を含む。
【００６０】
しかし、前記温水流路部２０の複数個のライン断面層２０Ａ、２０Ｂ、２０Ｃ、２０Ｄは、加熱ボディ１０の縁で温水ヒータ部３０の複数個のライン断面層３０Ａ、３０Ｂ、３０Ｃとの間に温水ヒータ部３０の複数個のライン断面層３０Ａ、３０Ｂ、３０Ｃと直交するように一列に位置される。
【００６１】
前記温水流路部２０の流路ＦＰは、加熱ボディ１０の中央領域で温水ヒータ部３０の螺線と交差及び／または平行するように構成される。本発明の第３実施形態の変形として、前記温水流路部２０及び温水ヒータ部３０のそれぞれは螺線からなることができる。本発明の第３実施形態の変形に伴う温水流路部２０は、温水ヒータ部３０で覆われるように構成される。この場合も、本発明の第３実施形態の変形に伴う温水流路部２０及び温水ヒータ部３０の位置関係は本発明の第３実施形態で説明することができる。
【００６２】
図６は、図２の切断線Ｉ−Ｉ’に沿って本発明の第４実施形態による温水加熱装置を示す断面図である。図６は、図３と同一機能または同一部材に対しては同一符号を使用するものとする。
【００６３】
図６を参照すると、本発明の第４実施形態による温水加熱装置７０は、加熱ボディ１０のバッファタンク１４周辺に温水流路部２０及び温水ヒータ部３０を含む。前記温水流路部２０は螺線の流路ＦＰを図３のように含むことができる。前記温水ヒータ部３０は「Ｕ」字状または円筒状のうちの１つのライン断面層３０Ｅを含む。
【００６４】
前記温水ヒータ部３０は一端及び他端を介して加熱ボディ１０から突出するように、図１のように構成される。前記温水ヒータ部３０は、保護管３３、発熱体３６、及び絶縁物３９を含む。前記保護管３３は発熱体３６及び絶縁物３９を覆うように構成される。前記温水ヒータ部３０は温水流路部２０の内部に位置する。
【００６５】
より詳細に説明すると、前記温水ヒータ部３０は、温水流路部２０の複数個のライン断面層２０Ａ、２０Ｂ、２０Ｃ、２０Ｄとの間に位置する。本発明の第４実施形態の変形として、前記温水ヒータ部３０は温水流路部２０の外部に位置して温水流路部２０を覆うように構成される。この場合も、本発明の第４実施形態の変形に伴う温水流路部２０及び温水ヒータ部３０の形状は、本発明の第４実施形態で説明することができる。
【００６６】
図７は、図２の切断線Ｉ−Ｉ’に沿って本発明の第５実施形態による温水加熱装置を示す断面図である。図７は、図３と同一の機能または同一の部材に対しては同一符号を使用するものとする。
【００６７】
図７を参照すると、本発明の第５実施形態による温水加熱装置８０は、加熱ボディ１０のバッファタンク１４周辺に温水流路部２０及び温水ヒータ部３０を含む。前記温水流路部２０は、「Ｕ」字状または円筒状のうちの１つのライン断面層２０Ｆを含む。前記温水流路部２０は、加熱ボディ１０の中央領域でバッファタンク１４に露出するように１つのライン断面層２０Ｆから突出されるライン断面層２０Ｇを有する。
【００６８】
前記温水ヒータ部３０は螺線形状で図３のように形成される。前記温水ヒータ部３０は温水流路部２０で覆われるように構成される。本発明の第５実施形態の変形として、前記温水ヒータ部３０は温水流路部２０の外部に位置して温水流路部２０を覆うように構成される。この場合も、本発明の第５実施形態の変形に伴う温水流路部２０及び温水ヒータ部３０の形状は本発明の第５実施形態で説明することができる。
【００６９】
図８は、図２の切断線Ｉ−Ｉ’に沿って本発明の第６実施形態による温水加熱装置を示す断面図である。図８は、図３と同一機能または同一の部材に対しては同一符号を使用するものとする。
【００７０】
図８を参照すると、本発明の第６実施形態による温水加熱装置９０は、加熱ボディ１０のバッファタンク１４周辺に温水流路部２０及び温水ヒータ部３０を含む。前記温水流路部２０は「Ｕ」字状または円筒状を図７のように含むことができる。前記温水ヒータ部３０は「Ｕ」字状または円筒状を図６のように含むことができる。
【００７１】
前記温水ヒータ部３０は温水流路部２０で覆われるように構成される。より詳細に説明すると、前記温水ヒータ部３０のライン断面層３０Ｅは温水流路部２０のライン断面層２０Ｆに挿入される。本発明の第６実施形態の変形として、前記温水ヒータ部３０は温水流路部２０の外部に位置して温水流路部２０を覆うように構成される。この場合も、本発明の第６実施形態の変形に伴う温水流路部２０及び温水ヒータ部３０の形状は本発明の第６実施形態で説明することができる。
【００７２】
図９は、図２の切断線Ｉ−Ｉ’に沿って本発明の第７実施形態による温水加熱装置を示す断面図である。図９は、図３と同一機能または同一の部材に対しては同一符号を使用するものとする。
【００７３】
図９を参照すると、本発明の第７実施形態による温水加熱装置１００は、加熱ボディ１０のバッファタンク１４周辺に温水流路部２０及び温水ヒータ部３０を含む。前記温水流路部２０及び温水ヒータ部３０は「Ｕ」字状及び円筒状のうちの１つを含む。
【００７４】
前記温水流路部２０は、「Ｕ」字状及び円筒状のうちの１つのライン断面層２０Ｈを有するが、図７とは異なった形状を有する。より詳細に説明すると、前記温水流路部２０は加熱ボディ１０の縁から中央領域（＝バッファタンク１４の内部）に突出する分岐されたライン層２０Ｉを有する。また、前記温水流路部２０は、加熱ボディ１０の中央領域でバッファタンク１４に露出されるように１つのライン断面層２０Ｈから突出されるライン断面層２０Ｊを有する。
【００７５】
前記温水ヒータ部３０は図６で説明することができる。前記温水ヒータ部３０は温水流路部２０に挿入される。前記温水ヒータ部３０は加熱ボディ１０の縁で温水流路部２０の分岐されたライン層２０Ｉに部分的に覆うように構成される。本発明の第７実施形態の変形として、前記温水ヒータ部３０は温水流路部２０の外部に位置して温水流路部２０を覆うように構成される。本発明の第７実施形態の変形に伴う温水流路部２０及び温水ヒータ部３０の形状は本発明の第７実施形態で説明することができる。
【００７６】
図１０は、図２の切断線Ｉ−Ｉ’に沿って本発明の第８実施形態による温水加熱装置を示す斜視図である。図１０は、図３と同一機能または同一の部材に対しては同一符号を使用するものとする。
【００７７】
図１０を参照すると、本発明の第８実施形態による温水加熱装置１１０は図３の温水加熱装置４０と類似の構造を有する。この場合、前記温水流路部２０は加熱ボディ１０で螺線構造物２５Ａからなる。前記温水流路部２０は内部で図３の流路ＦＰと同じ経路を有する第１流路ＦＰ１を有する。
【００７８】
前記温水ヒータ部３０は加熱ボディ１０で輪状の管構造物(tube structure)３５Ａを含む。より詳細に説明すると、前記温水ヒータ部３０は、加熱ボディ１０でバッファタンク１４を輪状で覆う管構造物３５Ａを含む。前記温水ヒータ部３０はシーズヒータを含む。
【００７９】
前記シーズヒータは、保護管３３、発熱体３６、及び絶縁物３９を含む。これにより、前記温水流路部２０は温水ヒータ部３０を覆うように、図１のように構成される。本発明の第８実施形態の変形によって、前記温水加熱装置１１０は図２と異なった構造の温水ヒータ部、及び図１の温水流路部２０を含むことができる。
【００８０】
本発明の第８実施形態の変形によって、前記温水ヒータ部は、加熱ボディ１０で本発明の第８実施形態の温水ヒータ部３０を２片以上に切開した管構造物を含むことができる。この場合も、本発明の第８実施形態の変形によって、前記温水流路部２０は温水ヒータ部を覆うように、図１のように構成される。一方、本発明の第８実施形態による温水流路部と温水ヒータ部との間の配置関係は、バッファタンク１４を基準に図２で説明することができる。
【００８１】
図１１は、図２の切断線Ｉ−Ｉ’に沿って本発明の第９実施形態による温水加熱装置を示す斜視図である。図１１は、図３と同一機能または同一の部材に対しては同一符号を使用するものとする。
【００８２】
図１１を参照すると、本発明の第９実施形態による温水加熱装置１２０は、図３の温水加熱装置４０と類似の構造を有する。前記温水流路部２０は加熱ボディ１０で輪状の板構造物(plate structure)２５Ｂに螺線の第２流路ＦＰ２を有する。
【００８３】
前記温水ヒータ部３０は、加熱ボディ１０で輪状の管構造物３５Ｂを含む。前記温水ヒータ部３０はバッファタンク１４の周辺で図１０と同一形状を有する。この場合、前記温水流路部２０はバッファタンク１４の周辺で温水ヒータ部３０を覆うように構成される。
【００８４】
本発明の第９実施形態の変形として、前記温水加熱装置１２０は、図１１と異なった構造の温水ヒータ部、及び図１１の温水流路部２０を有することができる。本発明の第９実施形態の変形による温水ヒータ部は、加熱ボディ１０で本発明の第８実施形態の変形による管構造物を含むことができる。
【００８５】
この場合も、本発明の第９実施形態の変形によって、前記温水流路部２０は、バッファタンク１４の周辺で温水ヒータ部を覆うように図１１のように構成される。一方、本発明の第９実施形態による温水流路部と温水ヒータ部との間の配置関係は、バッファタンク１４を基準に図２で説明することができる。
【００８６】
図１２は、図２の切断線Ｉ−Ｉ’に沿って本発明の第１０実施形態による温水加熱装置を示す斜視図である。図１１は、図３と同一機能または同一の部材に対しては同一符号を使用するものとする。
【００８７】
図１２を参照すると、本発明の第１０実施形態による温水加熱装置１３０は図３の温水加熱装置４０と類似の構造を有する。この場合、前記温水ヒータ部３０は、加熱ボディ１０で温水流路部２０に沿って位置し、そして温水流路部２０を覆うように構成される。
【００８８】
より詳細に説明すると、前記温水流路部２０及び温水ヒータ部３０は、加熱ボディ１０内の位置ごとに同心円形態を有し、加熱ボディ１０で螺線構造物２５Ｃ、３５Ｃからなる。前記温水ヒータ部３０がシーズヒータの場合に、前記保護管３３、発熱体３６、及び絶縁物３９は温水流路部２０と同心円形態を有する。
【００８９】
したがって、前記温水ヒータ部３０は温水流路部２０の長さ方向に沿って形成される。前記温水ヒータ部３０が温水流路部２０を覆う場合に、前記温水流路部２０は図１０の第１流路ＦＰ１を有する。本発明の第１０実施形態の変形として、前記温水加熱装置１３０は図１２と異なった形状の温水ヒータ部及び温水流路部を有する。
【００９０】
本発明の第１０実施形態の変形として、前記温水流路部は、加熱ボディ１０で温水ヒータ部に沿って位置し、そして温水ヒータ部を覆うように構成される。本発明の第１０実施形態の変形として、前記温水流路部及び温水ヒータ部は、加熱ボディ１０内の位置ごとに同心円形態を有し、加熱ボディ１０で螺線構造物からなることができる。
【００９１】
本発明の第１０実施形態の変形として、前記温水流路部が温水ヒータ部を覆う場合に、前記温水流路部は温水ヒータ部の周辺で第１流路ＦＰと異なった形状（例えば、直径の大きさ）の流路を有することができる。一方、本発明の第１０実施形態による温水流路部と温水ヒータ部との間の配置関係は、バッファタンク１４を基準に図２で説明することができる。
【００９２】
図１３は、図２の切断線Ｉ−Ｉ’に沿って本発明の第１１実施形態による温水加熱装置を示す斜視図である。図１３は、図３と同一機能または同一の部材に対しては同一符号を使用するものとする。
【００９３】
図１３を参照すると、本発明の第１１実施形態による温水加熱装置１４０は図３の温水加熱装置４０と類似の構造を有する。この場合、前記温水ヒータ部３０は、加熱ボディ１０で温水流路部２０に沿って位置し、そして温水流路部２０を覆うように構成される。
【００９４】
より詳細に説明すると、前記温水ヒータ部３０は、加熱ボディ１０で輪状の管構造物３５Ｄを含む。前記温水ヒータ部３０は、温水流路部２０を覆う保護管３３及び絶縁物３９を有し、そして温水流路部２０の周辺に発熱体３６を有する。
【００９５】
前記温水流路部２０は、温水ヒータ部３０の内部で螺線構造物２５Ｄからなる。前記温水流路部２０は図１０の第１流路ＦＰ１を有する。本発明の第１１実施形態の変形として、前記温水加熱装置１４０は、図１３と異なった形状の温水ヒータ部、及び図１３と異なった形状の温水流路部を有する。
【００９６】
より詳細に説明すると、本発明の第１１実施形態の変形として、前記温水ヒータ部は加熱ボディ１０で輪状の管構造物を含むことができる。前記温水流路部は温水ヒータ部の外部で輪状の管構造物を含むことができる。一方、本発明の第１１実施形態による温水流路部と温水ヒータ部との間の配置関係はバッファタンク１４を基準に図２で説明することができる。
【００９７】
図１４は、図２の切断線Ｉ−Ｉ’に沿って本発明の第１２実施形態による温水加熱装置を示す斜視図である。図１４は図３と同一機能または同一の部材に対しては同一符号を使用するものとする。
【００９８】
図１４を参照すると、本発明の第１２実施形態による温水加熱装置１５０は、図３の温水加熱装置４０と類似の構造を有する。この場合に、前記温水加熱装置１５０の温水流路部２０及び温水ヒータ部３０は、加熱ボディ１０の下部側から上部側に向けて互いに交代して形成される。
【００９９】
より詳細に説明すると、前記温水流路部２０は櫛状の管構造物２５Ｅで第２流路ＦＰ２を有するように形成される。前記温水ヒータ部３０は、保護管３３、発熱体３６、及び絶縁物３９を用いて櫛(comb)状の管構造物３５Ｅに形成される。
【０１００】
したがって、前記温水流路部２０及び温水ヒータ部３０は加熱ボディ１０で櫛(comb)状により複数個の櫛歯を含む。前記温水流路部２０の櫛歯は温水ヒータ部３０の櫛歯との間に形成される。一方、本発明の第１２実施形態による温水流路部２０と温水ヒータ部３０との間の配置関係はバッファタンク１４を基準に図２で説明することができる。
【０１０１】
図１５は、図２の切断線Ｉ−Ｉ’に沿って本発明の第１３実施形態による温水加熱装置を示す斜視図である。図１５は、図３と同一機能または同一部材に対しては同一符号を使用するものとする。
【０１０２】
図１５を参照すると、本発明の第１３実施形態による温水加熱装置１６０は図３の温水加熱装置４０と類似の構造を有する。この場合、前記温水加熱装置１６０の温水流路部２０及び温水ヒータ部３０は加熱ボディ１０で輪状の管構造物２５Ｆ、３５Ｆからなって、ジグザグに形成される。
【０１０３】
前記温水流路部２０及び温水ヒータ部３０はバッファタンク１４を覆うように構成される。前記温水流路部２０は管構造物２５Ｆに「Ｓ」字の第３流路ＦＰ３を有する。前記温水ヒータ部３０は、管構造物３５Ｆに「Ｓ」字の保護管３３、発熱体３６、及び絶縁物３９を含む。
【０１０４】
一方、本発明の第１３実施形態による温水流路部２０と温水ヒータ部３０との間の配置関係はバッファタンク１４を基準に図２で説明することができる。
【０１０５】
次に、本発明の実施形態による温水洗浄便座の温水供給装置の利用方法は、図１及び図２を参照して説明する。
【０１０６】
図１及び図２を参照すると、本発明の実施形態による温水洗浄便座が用意される。前記温水洗浄便座は、温水供給装置１９０に温水加熱装置４０、連結ハウジング１７０、及び流量調節バルブ１８０を含む。前記温水洗浄便座が駆動する間に、前記温水供給装置１９０は温水加熱装置４０で加熱ボディ１０内の温水ヒータ部３０を発熱させる。
【０１０７】
続いて、前記温水供給装置１９０は、水道栓から温水流路部２０の入水口２４に水を供給して水を温水ヒータ部３０により加熱させる。前記温水ヒータ部３０は温水流路部２０により水から温水を形成することができる。前記温水は温水流路部２０を流れながらバッファタンク１４の周辺を通ることができる。
【０１０８】
前記温水は温水流路部２０の出水口２８に到達するまで温水流路部２０により保温される。前記温水は、温水流路部２０の出水口２８からバッファタンク１４に流れることができる。前記温水は、温水流路部２０の出水口２８から出水されても温水流路部２０及び／または温水ヒータ部３０の中央領域に流れるので、温水ヒータ部３０を用いて継続的に保温されることができる。
【０１０９】
前記温水はバッファタンク１４に埋め込まれる。前記温水がバッファタンク１４に充填される間にも、前記温水ヒータ部３０はバッファタンク１４及び温水流路部２０を継続的に加熱することができる。前記温水はバッファタンク１４から連結ハウジング１７０を経由して流量調節バルブ１８０に到達することができる。
【０１１０】
前記温水は流量調節バルブ１８０の分岐管１８５に流入されることができる。前記流量調節バルブ１８０は、第１ノズルＮ１及び第２ノズルＮ２を介してビデノズル装置及びノズル洗浄装置に温水を供給することができる。
【０１１１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。したがって、記述した実施例はすべての面において例示的であって、限定的でないことを理解すべきである。
【図１】
2014122538.tif 000003
【図２】
2014122538.tif 000004
【図３】
2014122538.tif 000005
【図４】
2014122538.tif 000006
【図５】
2014122538.tif 000007
【図６】
2014122538.tif 000008
【図７】
2014122538.tif 000009
【図８】
2014122538.tif 000010
【図９】
2014122538.tif 000011
【図１０】
2014122538.tif 000012
【図１１】
2014122538.tif 000013
【図１２】
2014122538.tif 000014
【図１３】
2014122538.tif 000015
【図１４】
2014122538.tif 000016
【図１５】
2014122538.tif 000017